(57)【要約】      （修正有）【課題】環境に優しい軽量、安価なパレットを提供する。【解決手段】パルプモ−ルドにおいて薄肉殻構造と多点支持構造を併用することにより、強度問題を解決することが出来たので本素材のパレット適用の道が開け、製品の軽量化が達成出来た。パレットを小ユニットに分割し、個別に生産し、縫製結合する分割型パレットの方式は特に大きな製造設備を必要とせず、通常のモールド工場での生産が可能になった。更に小ユニトに固定範囲、調整範囲を設け、調整範囲を変更することにより単一の金型で多様なパレットに対応し得るので安価生産が確実となった。【選択図】図５
2005112461.tif 000002
【特許請求の範囲】
【請求項１】
茅、葦等の植物性繊維を原料として薄肉、殻、多点支持構造により平板、支持台、補強桁を一体整形したパレット。
【請求項２】
パレットを小ユニット化し、固定範囲と調整範囲に区分し、調整範囲の寸法のみを変更して多様な寸法のパレットを製作する方法
【請求項３】
パレットを小ユニット毎に分割生産し、その各々をミシンで縫製結合し、パレットにする方法。
【請求項４】
支持台、補強桁は傾斜する側面から成り、各々上部は開口させ、パレットの積重ね空間を低減させる。
【発明の詳細な説明】
【発明の詳細な説明】
【技術分野】
【０００１】  商品の輸送、格納を能率化するためにパレットはある。パレットは商品の上載荷重に耐えるため、木材、鋼材、プラスチック等の材料を使用して強度を保持している。パレットの条件として軽量化、環境対策、低価格、が求められている。
この技術分野を一層合理的に解決するために考案されたのが本発明である。
【在来の技術】
【０００２】  在来より使用されているパレットは木製パレット、鋼製パレット、プラスチック製パレット等がある。いずれも貴重な材料を使用し十分な強度を保持しているが高価で且つ重量が重い欠点があった。また近年環境問題が提起され、環境に優しい製品に転換する事が必要になって来ている。
簡易組立式パレットは本パレットの原型であるが平板、支持台の結合に強度的問題があり、また補強桁の操作、取扱に難点があり、改善が求められて居た。
【発明が解決しようとする課題】
【０００３】パレットに求められている条件は下記であり本発明はこれを解決した。
１．パレットの原料は環境に優しい物を使用し、強度は十分保持出来る事。
２．パレットは軽量、安価であること。
３．多様なパレット寸法に簡単に対応出来ること。
４．パレットの生産性が良好であること。
５．パレット使用後の廃却処分が容易であること。
【課題を解決するための手段】
【０００４】  パレットは商品を上載し、ホ−クリフトによる移動、格納が容易に行える事が目的である。上記を解決する手段として下記の項目を発明した。
請求項１は環境に優しい未利用資源である茅、葦等の植物性繊維をパレットの平板、支持台、補強桁を一体的に整形固化し、その構造は薄肉、殻構造、多点支持を採用して、パレットの必要強度を保持させた。これにより軽量、安価なパレットも同時に達成出来た。
【０００５】  請求項２はパレットに上載する商品の大きさは多様性があり、パレットの大きさも任意に容易に対応することが求められる。このためにパレットを小ユニット化し、４個の支持台を含む範囲は固定範囲とし、その周辺を調整範囲としてこの範囲の寸法を調整して、パレット全体の大きさを調整することにした。固定範囲は寸法、形状、とも固定され、同一の金型で生産することが可能になる。
【０００６】  請求項３はパレットの製造の合理化に関する事項である。一般にパルプモ−ルドを製造する機械装置は平面的大きさで６００ｍｍ×８００ｍｍ程度である。一方パレットの大きさは１０００ｍｍ×１２００ｍｍ程度の物も有り特殊製造設備が必要になる。またこの様な大形機械は他に製造する製品が無いので、設備しても機械の稼動率が悪く、低コストが得られない。
そこでパレットを小ユニットに分割し、個別に生産して事後ミシンで縫製結合し一体化する分割型パレットを開発した。
【０００７】  請求項４はパレット平板の支持台、及び補強桁位置の上部に開口部を設け、且つ支持台、補強桁の側面は上方に開く傾斜角を持たせた構造にした。これによりパレットを段積み格納する時、重ね合わせの高さを著しく低減させる事が可能になった。
【発明を実施するための最良の形態】
【０００８】  発明の実施の形態を図面を参照して説明する。
図１は一体型パレットの平面図を示す。１．平板は商品をのせる台で２．支持台はパレットの上載荷重を床面に伝達する機能を持つと同時に製品移動時にホ−クリフトの爪が入る空間を保持する役割がある。３．補強桁はホ−クリフトで製品を持ち上げた時、平板の受ける曲げモ−メントを補強する為の物である。
パレットは天然に産出する茅、葦等の植物繊維をパルプとしてモ−ルド加工し強度の弱い材料を使用して、薄肉、殻構造、多点支持方式による構造設計によりパレットの必要強度を保持させる事が出来た。１．平板、２．支持台、３、補強桁は同一材質で一体整形され、各要素の結合強度は十分に得られた。
パレットは（ｍ１＋ｎ１／２）×（ｍ２＋ｎ２／２）の小ユニットに区分され、ｍ１、ｍ２による矩形は固定範囲を示し、ｎ１，ｎ２部分は調整範囲を示す。調整範囲の幅寸法を変化させて多様なパレット寸法に対応する。【０００９】  図２は一体型パレットのＡ〜Ａ１断面図を示し、図３はＢ〜Ｂ１断面図、図４はＣ〜Ｃ１側面図を示す。２．支持台は薄肉の傾斜側面を持つ逆台形六面体、３．補強桁は薄肉の傾斜側面にて逆台形断面を持つ桁である。【００１０】  図５は分割型パレットの平面図を示す。パレットは７．分割線で分割された４個の４．小ユニットから成り各々を個別に製造した後、５。結合板を裏面より当て、６。ミシン縫製線にて各４．小ユニットを縫い合わせパレットとして一体化させる。図６は図５のＡ〜Ａ１側面図を示す。
図７は分割型パレットの４．小ユニット及び５．結合板の拡大図を示す。図８は図７のＤ〜Ｄ１断面図を示している。５．結合板はパレット本体と同じ材質でモ−ルド整形された物を使用する。
【発明の効果】
【００１１】  本発明は以上説明したように構成されているので以下に記載するような効果を奏する。
【００１２】  本パレットは茅、葦等の植物繊維を使用しているため、木製パレットの様に森林資源を使用すること無く、鋼製パレットやプラスチックパレットの様に原料生産に大きなエネルギ−の使用することもなく環境に優しい製品である。更にパレット廃却時には本パレットは屋外自然放置すれば、微生物の分解作用により６ケ月〜１年程度で消滅し、土に帰る。他のパレットではこの様な事は出来ない。また木製パレットの様に燻蒸処理による害虫駆除の必要も無くなる。
【００１３】  本パレットは原材料が植物繊維で比重が軽く、殻構造により強度の大きい薄肉構造体が可能になり更に支持台を数多く採用した多点支持構造によりパレットの平板が受ける曲げモ−メントが小さくなり、平板の補強や大きな補強桁は必要で無くなった。
この結果パレットの重量は著しく軽くなり、取扱、荷造り、梱包等が容易になり、輸送コストの低減が計れるようになった。
【００１４】  分割型パレットは小ユニットを小規模機械設備で生産可能となり通常のモ−ルド工場で製造出来る為、パレットの生産が容易となり製造コストの引き下げに寄与した。
【００１５】  モ−ルド製品の場合は製造に必要な金型の数量が製造価格に大きく影響する。本分割型パレットの構造は共通する小ユニットの組み合わせから成立しているのて単一の金型のみで製造し周辺の調整範囲の部分は必要寸法に切断して小パレットを作りこれを縫い合わせ多様なパレット寸法に対応することが出来るようになり、製造価格の低減が可能になった。
【００１６】  パレット平板は支持台と補強裄の上部は開口されている。更に支持台と補強桁の側壁は上部に広い傾斜面となっている。これによりパレットを積み重ねる時、上部パレットの支持台と補強桁が下部パレットの開口部に挿入されることになり両者の段積み高さが大巾に減少し、収納空間が著しく少なく成る。
【００１７】  本パレットは未利用天然資源の茅、葦等を原料にしていて他のパレットと比較して安価であり、資源保護、及び環境保全の見地からも有益である。
【図面の簡単な説明】
【図１】一体型パレットの平面図を示す図面である。
【図２】一体型パレットのＡ−Ａ１の断面を示す図面である。
【図３】一体型パレットのＢ−Ｂ１の断面を示す図面である。
【図４】一体型パレットのＣ−Ｃ１方向から見た側面図である。
【図５】分割型パレットの平面図を示す図面である。
【図６】分割型パレットのＡ−Ａ１方向から見た側面図である。
【図７】分割型パレットの４．小ユニットの拡大図を示す図面である。
【図８】図７のＤ−Ｄ１の断面を示す面図である。
【符号の説明】
１．平板
２．支持台
３．補強桁
４．小ユニット
５．結合板
６．ミシン縫製線
７．分割線
８．床面
９．一体型パレット
１０．分割型パレット
【図１】
2005112461.tif 000003
【図２】
2005112461.tif 000004
【図３】
2005112461.tif 000005
【図４】
2005112461.tif 000006
【図５】
2005112461.tif 000007
【図６】
2005112461.tif 000008
【図７】
2005112461.tif 000009
【図８】
2005112461.tif 000010